(57)【要約】【課題】本発明は、ＷＬＡＮを用いて通信する無線ＩＰ電話機から位置情報を通知しつつ緊急呼発信を行うことを支援することができる携帯電話機を提供する。【解決手段】ＷＬＡＮを用いて通信を行う無線ＩＰ電話機１が無線接続されるアクセスポイント２ａに接続された携帯電話機５であって、無線ＩＰ電話機１から所定の発信先へ発信操作がなされたときにその所定の発信先へ接続し、その所定の発信先から受信した情報をアクセスポイント２ａを介して無線ＩＰ電話機１へ送信するとともに、無線ＩＰ電話機１から取得した情報を前記所定の発信先へ送信する中継手段と、所定の発信先から測位要求に基づいて測位起動されると、位置の測位を簡易化するためのアシストデータを取得し、取得したアシストデータを無線ＩＰ電話機１へ送信し、無線ＩＰ電話機１から送信された位置情報を受信し、この位置情報を送信する位置情報送信手段を備えた。【選択図】  図４
2010263307.tif 000002
【特許請求の範囲】
【請求項１】
ＷＬＡＮを用いて通信を行う無線ＩＰ電話機が無線接続されるアクセスポイントに接続された携帯電話機であって、
前記無線ＩＰ電話機から所定の発信先へ発信操作がなされたときにその所定の発信先へ接続し、その所定の発信先から受信した情報を前記アクセスポイントを介して前記無線ＩＰ電話機へ送信するとともに、前記無線ＩＰ電話機から取得した情報を前記所定の発信先へ送信する中継手段と、
前記所定の発信先から測位要求に基づいて測位起動されると、位置の測位を簡易化するためのアシストデータを取得し、取得したアシストデータを前記無線ＩＰ電話機へ送信し、前記無線ＩＰ電話機から送信された位置情報を受信し、この位置情報を送信する位置情報送信手段を備えたことを特徴とする携帯電話機。
【請求項２】
前記携帯電話機の位置を測位する第１の測位手段を備え、
前記位置情報送信手段は、前記無線ＩＰ電話機から適切な位置情報が受信されなかった場合、前記第１の測位手段により測位された位置情報を送信することを特徴とする請求項１記載の携帯電話機。
【請求項３】
前記携帯電話機の近隣にある基地局を示す基地局情報を取得する取得手段を備え、
前記第１の送信手段は、前記無線ＩＰ電話機から適切な位置情報が受信されず、かつ前記第１の測位手段が測位に失敗した場合に、前記取得手段により取得された基地局情報を送信することを特徴とする請求項２記載の携帯電話機。
【請求項４】
ＷＬＡＮを用いて通信を行う無線ＩＰ電話機が無線接続されるアクセスポイントに接続された携帯電話機であって、
前記無線ＩＰ電話機から緊急発信先へ発信操作がなされたときにその緊急発信先へ接続し、緊急発信先から受信した情報を前記アクセスポイントを介して前記無線ＩＰ電話機へ送信するとともに、前記無線ＩＰ電話機から取得した情報を前記緊急発信先へ送信する中継手段と、
前記緊急発信先から測位要求に基づいてロケーションプラットホームによって測位起動されると、自端末のセル情報を前記ロケーションプラットホームに送信して位置の測位を簡易化するためのアシストデータを取得し、取得したアシストデータを前記無線ＩＰ電話機へ送信し、前記無線ＩＰ電話機から送信された位置情報を受信し、この位置情報を前記ロケーションプラットホームへ送信する位置情報送信手段を備えたことを特徴とする携帯電話機。
【発明の詳細な説明】
【技術分野】
【０００１】
本発明は、無線ＩＰ電話機から緊急発呼を行う場合に、無線ＩＰ電話機からの緊急発呼を仲介して緊急センターに送信する携帯電話機に関する。
【背景技術】
【０００２】
近年、携帯電話機や無線ＩＰ（Ｉｎｔｅｒｎｅｔ  Ｐｒｏｔｏｃｏｌ）電話機等の携帯端末が一般家庭に普及し、ユーザにより常時携帯されるようになってきたため、携帯電話機を介して緊急呼発信がされるケースが増加している。しかしながら、現状では、ＷＬＡＮを用いて通信を行う無線ＩＰ電話機においては緊急呼発信サービスが提供されていないため、無線ＩＰ電話機からは緊急呼発信が行えなかった。これは主に、ＩＰ接続で携帯端末を特定するために使用されるＩＰアドレスでは、携帯端末のロケーションがわからないため、緊急呼をどこに繋げば良いかがわからないためである。
【０００３】
そこで、無線ＬＡＮ端末からＩＰ電話網を介して警察・消防などの緊急発信を行う場合において、無線ＬＡＮ端末の発信位置を特定することができる位置取得システムが提案されている（特許文献１参照）。この位置取得システムは、第１の無線端末から送信された送信信号から第１の無線端末の位置情報をする取得部と、第１の無線端末の位置情報が改ざんされた情報か否かを判断する判断部とを備え、判断部は、第１の無線端末の位置情報が改ざんされた情報であると判断したとき、送信信号を受信する第１のアクセスポイントの位置に基づく第１の情報を、第１の無線端末の位置情報とするものである。
【先行技術文献】
【特許文献】
【０００４】
【特許文献１】特開２００６−１９１４７０号公報
【発明の概要】
【発明が解決しようとする課題】
【０００５】
固定の有線ＩＰ電話機では、緊急呼発信の時のみ一般加入回線で発信する形式がとられており、ＷＬＡＮを用いた通信機能及び携帯電話網を用いた通信機能の双方を具備する携帯端末では緊急呼発信時には携帯電話発信とすることで携帯電話網の基地局のロケーションから緊急呼接続先を決めることができるようになっている。
【０００６】
しかしながら、通信機能としてＷＬＡＮを用いた通信機能のみを有する携帯端末、または携帯電話網を用いた通信機能を具備していても携帯端末が圏外であるようなときは、現状ではこれらの携帯端末から緊急呼発信が行えないので、その対策としてＳＩＰサーバでＷＬＡＮのアクセスポイント（ＷＬＡＮ−ＡＰ）のロケーションを管理することで接続先を判定するような方法が検討されている。
【０００７】
一方、緊急呼発信の際に発信先からの要求に基づいて携帯端末の位置情報が通知されるが、上記のサーバでＷＬＡＮ−ＡＰの位置を管理する方式では、通知できる位置の精度はＷＬＡＮ−ＡＰの接続エリア単位であり、携帯端末の詳細な位置情報を通知することはできない。また、サーバで位置情報管理を行わせるためには、サーバ設備の改修やＷＬＡＮ−ＡＰ位置の登録等の大きな手間が発生する。
【０００８】
また、無線ＩＰ電話機がＧＰＳを搭載していたとしても、ロケーションプラットホームに蓄積されたアシストデータを用いたＡ−ＧＰＳ測位方式による測位を行うことができないため、測位に時間がかかるという問題点がある。
【０００９】
本発明は、上記課題を鑑みなされたもので、ＷＬＡＮを用いて通信する無線ＩＰ電話機から位置情報を通知しつつ緊急呼発信を行うことを支援することができる携帯電話機を提供することを目的とする。
【課題を解決するための手段】
【００１０】
上記課題を解決するために、本発明に係る携帯電話機は、ＷＬＡＮを用いて通信を行う無線ＩＰ電話機が無線接続されるアクセスポイントに接続された携帯電話機であって、前記無線ＩＰ電話機から所定の発信先へ発信操作がなされたときにその所定の発信先へ接続し、その所定の発信先から受信した情報を前記アクセスポイントを介して前記無線ＩＰ電話機へ送信するとともに、前記無線ＩＰ電話機から取得した情報を前記所定の発信先へ送信する中継手段と、前記所定の発信先から測位要求に基づいて測位起動されると、位置の測位を簡易化するためのアシストデータを取得し、取得したアシストデータを前記無線ＩＰ電話機へ送信し、前記無線ＩＰ電話機から送信された位置情報を受信し、この位置情報を送信する位置情報送信手段を備えたことを特徴とする。
【発明の効果】
【００１１】
本発明に係る携帯電話機によると、ＷＬＡＮを用いて通信する無線ＩＰ電話機から位置情報を通知しつつ緊急呼発信を行うことを支援することが可能となる。
【図面の簡単な説明】
【００１２】
【図１】本発明に係る携帯電話機が適用される通信システムの構成図。
【図２】通信システムが有する無線ＩＰ電話機を示す構成図。
【図３】本発明に係る携帯電話機を示す構成図。
【図４】本発明に係る携帯電話機が適用される通信システムにおける緊急呼発信支援処理の流れを示す図。
【図５】本発明に係る携帯電話機が緊急呼発信支援処理を行う手順を示すフローチャート。
【発明を実施するための形態】
【００１３】
本発明に係る携帯電話機の実施形態について、添付図面を参照しながら説明する。図１は、本発明に係る携帯電話機５が適用される通信システム１００を示す構成図である。通信システム１００において、無線ＩＰ（Ｉｎｔｅｒｎｅｔ  Ｐｒｏｔｏｃｏｌ）電話機１や携帯電話機５が相互に通信を行うことができる。
【００１４】
通信システム１００は、無線ＩＰ電話機１が通信するためのネットワーク２を備えている。ネットワーク２は、例えばＡＲＰＡＮＥＴ（Ａｄｖａｎｃｅｄ  Ｒｅｓｅａｒｃｈ  Ｐｒｏｊｅｃｔ  Ａｇｅｎｃｙ）等、ＬＡＮ（Ｌｏｃａｌ  Ａｒｅａ  Ｎｅｔｗｏｒｋ）同士、あるいはＬＡＮとＷＡＮ（Ｗｉｄｅ  Ａｒｅａ  Ｎｅｔｗｏｒｋ）とが相互に接続されることにより広領域にて通信するネットワークである。ネットワーク２は、無線ＩＰ電話機１から発信された電波を受信したり無線ＩＰ電話機１に対して電波を送信したりする複数のアクセスポイント２ａを備えている。無線ＩＰ電話機１は、近隣のアクセスポイント２ａを介してネットワーク２に接続して、ネットワーク２を介して他の通信装置（例えば固定ＩＰ電話機２ｂなど）に対して通信する。また、アクセスポイント２ａは、ネットワーク２に無線接続されている無線ＩＰ電話機１から発信を受けた場合、この発信が通常の発信であるか緊急呼発信であるかを判断して、緊急呼発信であった場合には、この発信を緊急発信先に接続する。
【００１５】
通信システム１００において、ネットワーク２は、公衆回線網であるネットワーク３にゲートウェイ３ａを介して接続されている。無線ＩＰ電話機１は、ネットワーク２及びネットワーク３を介して他の通信装置（例えば固定電話機３ｂ）に対して通信する。
【００１６】
通信システム１００は、携帯電話機５が通信するためのネットワーク４を備えている。ネットワーク４は、例えば携帯電話網であり、携帯電話機５から発信された電波を受信したり携帯電話機５に対して電波を送信したりする複数の基地局４ａを備えている。携帯電話機５は、例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式によって近隣の基地局４ａを介してネットワーク４に無線接続される。
【００１７】
ネットワーク４には、ロケーションプラットホーム７が接続されている。ロケーションプラットホーム７は、位置を示す情報とその位置での測位に必要な情報（アシストデータ）とを記憶している。アシストデータには、その位置で利用できる衛星の情報や、ドップラー周波数等の情報が含まれている。
【００１８】
ここでまず、通信システム１００において、携帯電話機５から１１０番や１１９番等の緊急呼発信がなされた場合の通信制御処理について説明する。携帯電話機５から１１０番や１１９番等の緊急呼発信がなされると、ネットワーク４はその携帯電話機５が接続されている基地局４ａの地域の緊急発信先（警察、消防等）に緊急呼を接続する。このとき、携帯電話機５が自立的に自らの位置を通報先に通知することもできるが、それがなされなかった場合に緊急発信先からの操作で緊急呼発信を行った携帯電話機５の位置情報を取得する機能が備えられている。
【００１９】
緊急発信先から携帯電話機５の位置情報を取得するための操作が行われると、携帯電話機５の位置情報取得の要求（測位要求）がその携帯電話機５が属している携帯電話システム内のロケーションプラットホーム７に送信される。ロケーションプラットホーム７は、位置情報取得の要求を受けると、対象の携帯電話機５に対して位置情報取得の要求を配信する（測位起動）。
【００２０】
位置情報取得の要求をうけた携帯電話機５は、その要求に基づいて例えばＡ−ＧＰＳ（Ａｓｓｉｓｔｅｄ  ＧＰＳ）のＭＳ−Ｂａｓｅｄ方式で自らの位置の測位を行う。ＭＳ−Ｂａｓｅｄ方式では、携帯電話機５が、自らが属している基地局の情報（セル情報）をロケーションプラットホーム７に通知するとともに、ロケーションプラットホーム７は、受け取ったセル情報に基づいて、ＧＰＳ測位に必要な情報（アシストデータ）を携帯電話機５に通知する。
【００２１】
携帯電話機５は、そのアシストデータを利用してＧＰＳ衛星からの電波を受信して位置の計算を行う。この方式によると、ＧＰＳ衛星の軌道計算やそのために必要な情報をＧＰＳ衛星から受信することが不要になるため、測位時間の短縮や感度の向上が図られる。携帯電話機５は、この方式で自らの位置情報を取得すると、その情報をロケーションプラットホーム７に通知し、ロケーションプラットホーム７は携帯電話機５から取得した位置情報を緊急発信先に通知する。
【００２２】
もし携帯電話機５が位置情報の取得に失敗した場合、ロケーションプラットホーム７は携帯電話機５が接続されている基地局４ａの情報から大まかな携帯電話機５の位置を割り出して緊急発信先に通知する。このときの位置情報の精度は携帯電話機５で測位できた場合の精度よりも悪くなるが、携帯電話機５の大まかな位置を通知することができる。すなわち、携帯電話機５で測位した場合の精度は一般的に数十メートルであるが、基地局４ａの情報から割り出した位置情報の精度は数キロメートル程度である。
【００２３】
図２は、無線ＩＰ電話機１の機能を示すブロック図である。無線ＩＰ電話機１は、図２に示すように、主制御部１０、電源回路部１１、操作入力制御部１２、表示制御部１３、音声制御部１４、無線ＩＰ通信制御部１５、ＧＰＳ受信部１６、及び記憶部１７がバスによって相互に通信可能に接続されて構成されている。
【００２４】
主制御部１０は、ＣＰＵ（Ｃｅｎｔｒａｌ  Ｐｒｏｃｅｓｓｉｎｇ  Ｕｎｉｔ）を具備し、無線ＩＰ電話機１の総括的な制御を行うとともに、後述する通信制御処理、その他の様々な演算処理や制御処理等を行う。電源回路部１１はバッテリ等の電源供給源を具備し、ユーザ操作に基づいて電源のオン／オフ状態を切り替え、電源がオン状態の場合に電力供給源から各部に対して電力を供給して、無線ＩＰ電話機１を動作可能にする。
【００２５】
操作入力制御部１２は、ユーザにより押下されることによりデータを入力する操作キーを備えていて、操作キーの押下を検出すると、それらの操作を示す信号を生成して、この信号を主制御部１０に伝送する。信号を受信した主制御部１０は、この信号に基づいた処理を行う。
【００２６】
表示制御部１３は、データを表示するディスプレイを備えていて、ディスプレイに対する表示インタフェースを備え、主制御部１０の制御に基づいて、文書や画像等からなる画面をディスプレイに表示したり、ディスプレイの電源のＯＮ／ＯＦＦ状態を切り替えたりする。
【００２７】
音声制御部１４は、音声を出力するスピーカや音声を集音するマイクロフォンを備え、主制御部１０の制御に基づいて、マイクロフォンで集音された音声からアナログ音声信号を生成し、このアナログ音声信号をデジタル音声信号に変換する。また音声制御部１４は、デジタル音声信号を取得すると、主制御部１０の制御に基づいて、このデジタル音声信号をアナログ音声信号に変換し、スピーカから音声として出力する。
【００２８】
無線ＩＰ通信制御部１５は、アンテナ１５ａを備えていて、主制御部１０の制御に基づいて、ネットワーク２のアクセスポイント２ａからアンテナ１５ａを介して受信した受信信号をスペクトラム逆拡散処理してデータを復元する。このデータは、主制御部１０の指示により、音声制御部１４に伝送されてスピーカから出力されたり、表示制御部１３に伝送されてディスプレイに表示されたり、または記憶部１７に記録されたりする。また無線ＩＰ通信制御部１５は、主制御部１０の制御に基づいて、マイクロフォンで集音された音声データや操作キーを介して入力されたデータや記憶部１７に記憶されたデータを取得すると、これらのデータに対してスペクトラム拡散処理を行い、アクセスポイントに対してアンテナ１５ａを介して送信する。
【００２９】
ＧＰＳ受信部１６は、地球上の位置情報を測位するＧＰＳ（Ｇｌｏｂａｌ  Ｐｏｓｉｔｉｏｎｉｎｇ  Ｓｙｓｔｅｍ）システムのＧＰＳ衛星から放送されている電波を受信するためのアンテナ１６ａを備え、このアンテナ１６ａを介して受信した電波に基づいて、無線ＩＰ電話機１の位置情報を示すＧＰＳ情報を生成して、主制御部１０に伝送する。なお、ＧＰＳ情報の取得方法は無線ＩＰ電話機１がＧＰＳ情報を生成する方法に限らず、ＧＰＳサーバが無線ＩＰ電話機１の位置を検知してＧＰＳ情報を生成し、このＧＰＳ情報を無線ＩＰ電話機１に送信する方法でも良い。
【００３０】
記憶部１７は、主制御部１０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部１０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部１０が後述する通信制御処理を行う際の処理プログラムは、例えばＲＯＭに記憶されているものとする。
【００３１】
図３は、携帯電話機５の機能を示すブロック図である。携帯電話機５は、図３に示すように、主制御部２０、電源回路部２１、操作入力制御部２２、表示制御部２３、音声制御部２４、通信制御部２５、ＧＰＳ受信部２６、及び記憶部２７がバスによって相互に通信可能に接続されて構成されている。
【００３２】
主制御部２０は、ＣＰＵ（Ｃｅｎｔｒａｌ  Ｐｒｏｃｅｓｓｉｎｇ  Ｕｎｉｔ）を具備し、携帯電話機５の総括的な制御を行うとともに、後述する通信制御処理、その他の様々な演算処理や制御処理等を行う。電源回路部２１はバッテリ等の電源供給源を具備し、ユーザ操作に基づいて電源のオン／オフ状態を切り替え、電源がオン状態の場合に電力供給源から各部に対して電力を供給して、携帯電話機５を動作可能にする。
【００３３】
操作入力制御部２２は、ユーザにより押下されることによりデータを入力する操作キーを備えていて、操作キーに対する入力インタフェースを備え、操作キーの押下を検出すると、それらの操作を示す信号を生成して、この信号を主制御部２０に伝送する。信号を受信した主制御部２０は、この信号に基づいた処理を行う。
【００３４】
表示制御部２３は、データを表示するディスプレイを備えていて、ディスプレイに対する表示インタフェースを備え、主制御部２０の制御に基づいて、文書や画像等からなる画面をディスプレイに表示したり、ディスプレイの電源のＯＮ／ＯＦＦ状態を切り替えたりする。
【００３５】
音声制御部２４は、音声を出力するスピーカや音声を集音するマイクロフォンを備え、主制御部２０の制御に基づいて、マイクロフォンで集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカから音声として出力する。
【００３６】
通信制御部２５は、アンテナ２５ａを備えていて、主制御部２０の制御に基づいて、ネットワーク４の基地局４ａからアンテナ２５ａを介して受信した受信信号をスペクトラム逆拡散処理してデータを復元する。このデータは、主制御部２０の指示により、音声制御部２４に伝送されてスピーカから出力されたり、表示制御部２３に伝送されてディスプレイに表示されたり、または記憶部２７に記録されたりする。また通信制御部２５は、主制御部２０の制御に基づいて、マイクロフォンで集音された音声データや操作キーを介して入力されたデータや記憶部２７に記憶されたデータを取得すると、これらのデータに対してスペクトラム拡散処理を行い、基地局に対してアンテナ２５ａを介して送信する。
【００３７】
ＧＰＳ受信部２６は、地球上の位置情報を測位するＧＰＳシステムのＧＰＳ衛星から放送されている電波を受信するためのアンテナ２６ａを備え、このアンテナ２６ａを介して受信した電波に基づいて、携帯電話機５の位置情報を示すＧＰＳ情報を生成して、主制御部２０に伝送する。なお、ＧＰＳ情報の取得方法は携帯電話機５がＧＰＳ情報を生成する方法に限らず、ＧＰＳサーバが携帯電話機５の位置を検知してＧＰＳ情報を生成し、このＧＰＳ情報を携帯電話機５に送信する方法でも良い。
【００３８】
記憶部２７は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部１０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する通信制御処理を行う際の処理プログラムは、例えばＲＯＭに記憶されているものとする。
【００３９】
通信システム１００において、無線ＩＰ電話機１は、上述した携帯電話機５の緊急発信機能を利用して、緊急発信先に緊急発信する。図４は、通信システム１００において無線ＩＰ電話機１から緊急呼発信が指示された場合に、携帯電話機５の緊急発信機能を利用することによってＷＬＡＮを使用する無線ＩＰ電話機１の位置情報を緊急発信先に送信して緊急呼発信を実現する通信制御処理を示す概念図である。
【００４０】
図４に示すように、通信システム１００において、ネットワーク２のアクセスポイント（ＷＬＡＮ−ＡＰ）２ａに対して携帯電話機５が通信可能に接続される。これにより、アクセスポイント２ａに対してネットワーク２を介して接続されている無線ＩＰ電話機１から緊急呼ａが発信された場合に、無線ＩＰ電話機１は携帯電話機５を経由して緊急発信先に緊急呼接続される。
【００４１】
アクセスポイント２ａは、接続している無線ＩＰ電話機１が発信したときに送信される情報をモニターし、それが緊急呼発信であるか否かを判断する。そして、緊急呼発信ではない場合と判断した場合、無線ＩＰ電話機１が送信した情報をネットワーク２（ＩＰ網）に中継する。それに対して、緊急呼発信である場合、無線ＩＰ電話機１が送信した情報をネットワーク２（ＩＰ網）に中継せず、接続している携帯電話機５に対して緊急呼発信するよう制御する。携帯電話機５は、アクセスポイント２ａからの要求に応じて、自端末が接続している基地局の地域の緊急発信先に発信を行う。そして、携帯電話機５と緊急発信先とが接続された後、アクセスポイント２ａは、携帯電話機５の受信音声を無線ＩＰ電話機１に中継し、無線ＩＰ電話機１の送信音声を携帯電話機５に中継する。これによって、無線ＩＰ電話機１と緊急発信先との通話を実現することができる。
【００４２】
緊急発信先４ｂは、緊急呼発信を行った端末と接続した後、所定のオペレータ操作に応じて、緊急呼発信を行った端末の位置を取得するための要求を送信することができる。緊急発信先から位置取得の要求（測位要求ｂ）が送信されたとき、この要求は、アクセスポイント２ａに接続している携帯電話機５が属しているシステム内のロケーションプラットホーム７に送信される。
【００４３】
ロケーションプラットホーム７は、測位要求ｂを受信すると、ＳＭＳノティフィケーション機能を用いて、対象の端末に対する位置情報取得の要求を配信する。このＳＭＳは、ＰＰＧ／ＳＭＳＣ７ａを介して緊急発信を行った携帯電話機５へ送信される。なお、ＰＰＧ（Push Proxy Gateway）装置は、メッセージ情報等を宛先の端末へプッシュ転送を行う装置である。また、ＳＭＳＣ（Short Message Service Center）は、端末との間でショートメッセージの送受信を行う装置である。
【００４４】
携帯電話機５は、ＰＰＧ／ＳＭＳＣ７ａから位置情報取得の要求を含むＳＭＳを受信すると、Ａ−ＧＰＳのＭＳ−Ｂａｓｅｄ方式での測位を起動する。つまり、携帯電話機５は、属している基地局の情報（セル情報）をロケーションプラットホーム７に対して送信する。ロケーションプラットホーム７は、受信したセル情報に基づいて、そのセルでの測位に必要なアシストデータを抽出し、携帯電話機５に対して送信する。そして、携帯電話機５は、受信したアシストデータをアクセスポイント２ａを介して、緊急発信を行った無線ＩＰ電話機１に通知する。
【００４５】
緊急発信を行った無線ＩＰ電話機１は、このアシストデータを用いて衛星からの電波を受信し、無線ＩＰ電話機１の位置を算出する。そして、無線ＩＰ電話機１は、算出した位置情報をアクセスポイント２ａを介して携帯電話機５に送信する。
【００４６】
無線ＩＰ電話機１によって算出した位置情報を受信した携帯電話機５は、この位置情報をロケーションプラットホーム７に送信する。ロケーションプラットホーム７は、受信した位置情報を緊急発信先に通知し、緊急発信先は、無線ＩＰ電話機１で測位した位置情報を取得することができる。
【００４７】
以上のように、無線ＩＰ電話機１の接続先であるアクセスポイント２ａに対して接続した携帯電話機５が、無線ＩＰ電話機１へ位置測位のためのアシストデータを送信するため、無線ＩＰ電話機１はこのアシストデータを用いてすばやく自端末の位置を測位することができる。
【００４８】
なお、携帯電話機５は、ロケーションプラットホーム７からアシストデータを取得した際、このアシストデータを無線ＩＰ電話機１へ通知するとともに、携帯電話機５が有するＧＰＳによって、アシストデータを用いた携帯電話機５の位置測位を行っても良い。このように、携帯電話機５によって測位を行い、無線ＩＰ電話機１から正常な測位結果を受信したときには、無線ＩＰ電話機１から受信した測位結果を自らの測位結果としてロケーションプラットホーム７に通知し、無線ＩＰ電話機１から正常な測位結果を受信することができない場合には、携帯電話機５が測位した自端末の位置情報をロケーションプラットホーム７に通知する。これによって、緊急発信先には、無線ＩＰ電話機１によって位置が測位できた場合には無線ＩＰ電話機１の位置情報が通知され、無線ＩＰ電話機１によって位置が測位できなかったとしても無線ＩＰ電話機１の近くに存在する携帯電話機５の位置情報を通知することができる。携帯電話機５はアクセスポイント２ａに接続されているため、携帯電話機５と無線ＩＰ電話機１との距離は、アクセスポイント２ａの接続可能範囲相当（数百メートル）である。そのため、携帯電話機５によって測位した位置をロケーションプラットホームに通知する場合には、無線ＩＰ電話機１によって測位した位置を通知する場合の精度（数十メートル）よりも精度が悪くなるが、セルラー電話システムで基地局情報から割り出した位置情報の精度（数キロメートル）を無線ＩＰ電話機１の位置として通知する場合よりは精度良く位置情報を緊急発信先に通知することができる。
【００４９】
さらに、無線ＩＰ電話機１が測位に失敗して、かつ携帯電話機５が測位に失敗した場合には、携帯電話機５は、携帯電話機５に予め登録された位置情報（例えば基地局４ａの基地局情報やアクセスポイント２ａの位置情報）をロケーションプラットホーム７に送信する。このように通信システム１００では、無線ＩＰ電話機１が測位を行えない場所（例えば地下等）にある場合に、携帯電話機５が測位を行ってその位置情報が使用される。
【００５０】
通信システム１００において無線ＩＰ電話機１が緊急発呼を行った際に、携帯電話機５が緊急発信先に対して緊急呼を発呼する場合の携帯電話機５の処理手順を、図５に示すフローチャートに基づいて説明する。
【００５１】
携帯電話機５は、アクセスポイント２ａからの制御に基づいて、自端末が接続している基地局の地域の緊急発信先に対して緊急呼発信を行う。緊急発信先に接続された後、携帯電話機５は、緊急発信先から受信した受信音声をアクセスポイント２ａに送信するとともに、アクセスポイント２ａが無線ＩＰ電話機１から受信した送信音声を緊急発信先に送信する。これにより、無線ＩＰ電話機１と緊急発信先との緊急通話機能が実現される。
【００５２】
その後、携帯電話機５は、ロケーションプラットホーム７からＰＰＧ／ＳＭＳＣ７ａを介して位置情報取得の要求を受けた場合（Ｓ１０１のＹｅｓ）、携帯電話機５が属している基地局の情報（セル情報）をロケーションプラットホーム７に対して送信する（Ｓ１０５）。そして、その応答として、携帯電話機５は、ロケーションプラットホーム７からのアシストデータを受信したか否かを判断する（Ｓ１０７）。アシストデータを受信すると（Ｓ１０７のＹｅｓ）、携帯電話機５は、そのアシストデータをアクセスポイント２ａ経由で、緊急呼発信を行った無線ＩＰ電話機１に送信する（Ｓ１０９）。また、携帯電話機５は、アシストデータを無線ＩＰ電話機１に送信するとともに、ＧＰＳ受信部２６を用いて携帯電話機５の位置測位を行う。
【００５３】
緊急呼発信を行った無線ＩＰ電話機１は、受信したアシストデータを利用してＧＰＳ衛星からの電波を受信して位置の計算を行い、位置情報を生成する。算出された測位結果（位置情報）をアクセスポイント２ａ経由で携帯電話機５に送信する。
【００５４】
アクセスポイント２ａに接続されている携帯電話機５は、無線ＩＰ電話機１から適切な位置情報を受信したか否かを判断する（Ｓ１１１）。適切な位置情報を受信した場合（Ｓ１１１のＹｅｓ）は、携帯電話機５は、無線ＩＰ電話機１から取得した測位結果（位置情報）を測位結果としてロケーションプラットホーム７に送信する（Ｓ１１３）。そして、ロケーションプラットホーム７は、無線ＩＰ電話機１から受信した位置情報を緊急発信先に送信する。一方、適切な位置情報を受信しなかった場合（すなわち測位ＮＧ情報が送られてきたとき）（Ｓ１１１のＮｏ）、例えば測位ＮＧ情報を受信した場合や測位情報を受信できなかった場合などは、携帯電話機５は、ステップＳ１０７でロケーションプラットホームから受信したアシストデータを用いて携帯電話機５のＧＰＳによって測位した位置情報を測位結果としてロケーションプラットホーム７に送信する（Ｓ１１５）。
【００５５】
このようにして通信システム１００において、携帯電話機５は、ＷＬＡＮを用いて通信を行う無線ＩＰ電話機１から緊急呼発信があった場合に、この発信を仲介して緊急発信先に送信する。そして、緊急発信先から位置情報の取得要求があった場合には、携帯電話機５がロケーションプラットホーム７からアシストデータを取得し、無線ＩＰ電話機１が、このアシストデータを用いて位置情報の測位を行うことができるため、無線ＩＰ電話機１の正確な位置情報を迅速に測位することができる。
【００５６】
また、無線ＩＰ電話機１が位置測位不可能な状況にある場合には、アクセスポイント２ａに接続された携帯電話機５は、自ら測位した位置情報を緊急発信先に送信する。このときの測位精度はアクセスポイント２ａの接続可能範囲相当（数百メートル）になり、無線ＩＰ電話機１で測位を行った場合の精度（数十メートル）よりも精度は悪くなるが、携帯電話システムで基地局情報から割り出した位置情報の精度（数キロメートル）よりも高精度な位置情報を取得できる。
【００５７】
本発明に係る携帯電話機５によると、ＷＬＡＮを用いて通信する無線ＩＰ電話機１から位置情報を通知しつつ緊急呼発信を行うことを支援することができ、また、無線ＩＰ電話機１がＧＰＳ測位不可能な場所にあっても、無線ＩＰ電話機１の大まかな位置情報を緊急発信先に通知することが可能となる。
【００５８】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００５９】
１００…通信システム，１…無線ＩＰ電話機，２、３、４…ネットワーク，２ａ…アクセスポイント，２ｂ…固定ＩＰ電話機，３ａ…ゲートウェイ，４ａ…基地局，４ｂ…固定電話機，５…携帯電話機，７…ロケーションプラットホーム，１０、２０…主制御部，１１、２１…電源回路部，１２、２２…操作入力制御部，１３、２３…表示制御部，１４、２４…音声制御部，１５…無線ＩＰ通信制御部、２５…通信制御部，１５ａ、２５ａ…アンテナ，１６、２６…ＧＰＳ受信部，１６ａ、２６ａ…アンテナ，１７、２７…記憶部。
【図１】
2010263307.tif 000003
【図２】
2010263307.tif 000004
【図３】
2010263307.tif 000005
【図４】
2010263307.tif 000006
【図５】
2010263307.tif 000007